(57)【要約】【課題】  本発明は、インバータ装置を並列運転するに当たって、横流の発生を抑止すべく自己側のインバータ装置からの基本正弦波電圧（したがって交流出力電圧）を補正するようにする。【解決手段】  相互のインバータ装置からの無効電力を送受信しあい、相互の無効電力の変化がなくなるように、例えば自己側の目標正弦波に対応する瞬時値を逐次変化させるようにしてゆき、基本正弦波電圧（したがって交流出力電圧）を調整し、横流の発生を抑止する。【選択図】    図１
2005102421.tif 000002
【特許請求の範囲】
【請求項１】
直流電圧回路と、
スイッチング素子を有し、
前記直流電圧回路の出力をＰＷＭゲート制御信号に基づいてスイッチングして高周波電圧を出力するインバータ回路と、
前記高周波電圧を正弦波状の交流出力電圧として出力するフィルタ回路と、
前記インバータ回路の出力電流に応じた電流検出信号を出力する出力電流検出手段と、
前記出力電流検出手段からの出力を利用して有効電力を得て、該有効電力が増加するにつれて前記高周波電圧に対応する基本正弦波電圧の周波数を下げる機能を有するインバータ装置を備え、
当該インバータ装置が複数個もうけられて、各インバータ装置の前記交流出力電圧が並列に負荷に給電される並列インバータ装置において、
相手方となるインバータ装置における出力無効電力を受信し、自己のインバータ装置における出力無効電力との差をとり、誤差無効電力として抽出し、当該誤差無効電力の値が小さくなる方向に、前記高周波電圧の前記基本正弦波電圧の値を増減する手段を有する
ことを特徴とする並列インバータ装置。
【請求項２】
請求項１に記載の並列インバータ装置において、
高周波電圧に対応する基本正弦波電圧の値を増減する量は、抽出された前記誤差無効電力を積分して得られる積分誤差無効電力に基づいて得られた補正電圧係数を用いて得た量であることを特徴とする並列インバータ装置。
【請求項３】
請求項２に記載の並列インバータ装置において、
積分誤差無効電力を相手方に送信すると共に、
相手方から受信した積分誤差無効電力と、自己の積分誤差無効電力を加算して積分偏り値を得て、
該積分偏り値の符号が正の場合には自己の積分誤差無効電力の値を減少させ、負の場合は自己の積分誤差無効電力の値を増加させることを特徴とする並列インバータ装置。
【請求項４】
請求項１ないし３のいずれか記載の並列インバータ装置において、
前記各インバータ装置は、制御回路内にコンピュータをそなえ、
前記出力無効電力の値と前記積分誤差無効電力の値とを、相手方となるインバータ装置に対して、自己の前記コンピュータにおけるコンピュータ間シリヤル通信機能を用いて、デジタル情報として伝送し、
かつ前記各インバータ装置は、自己の前記コンピュータにおけるコンピュータ間シリヤル通信機能を用いて受信した前記デジタル情報にもとづいて、相手方となるインバータ装置における前記無効電力の値と前記積分誤差無効電力とを取得する
ことを特徴とする並列インバータ装置。
【発明の詳細な説明】
【技術分野】
【０００１】
本発明は、直流回路の出力をパルス幅変調（ＰＷＭ）ゲート制御信号に基づいてスイッチングしてＰＷＭ高周波電圧を出力するインバータ回路と、当該ＰＷＭ高周波電圧を正弦波状の交流出力電圧として出力するフィルタ回路とをそなえるインバータ装置を有し、当該インバータ装置が複数個並列に接続されて負荷に給電する並列インバータ装置に関する。
【背景技術】
【０００２】
上述のインバータ装置を並列にもうけて共通な負荷に給電することが行われている（例えば特許文献１や特許文献２参照）。
【０００３】
この種の並列インバータ装置においては、複数のインバータ装置間で有効電力を揃えるようにして並列運転が行われるようにされている。
【０００４】
周知のように、有効電力を揃える方式のものは夫々のインバータ装置の出力電圧に違いがあると当該電圧差に比例した形で無効電力の横流が生じ、夫々のインバータ装置からの出力電流は負荷電流と横流との和として表されることから、横流が大となると負荷に流すことのできる最大電流が小さくなって、場合によっては横流だけでインバータ装置からの許容電流を超えることもあり得る。なお、当該横流が流入する状態になると、インバータ装置の直流回路側に存在する平滑コンデンサが充電されてゆき、当該インバータ装置に印加される直流電圧が非所望に上昇してゆく。
【０００５】
ここで、並列インバータ装置における有効電力と無効電力とについて解析しておく。
【０００６】
図６はインバータが並列運転される際の等価回路を示し、図７は電圧位相図を示している。
【０００７】
インバータ（ＩＮＶ）１から出力される有効電力Ｐ1 と無効電力Ｑ1 （遅れを正とする）は、
Ｐ1 ＝（Ｅ1 ・Ｖ・sin δ1 ）／Ｘ1 ≒（Ｅ1 ・Ｖ・δ1 ）／Ｘ1       （１）
Ｑ1 ＝（Ｅ1 ・Ｖ・cos δ1 ）／Ｘ1 ≒（Ｅ1 ・Ｖ）／Ｘ1             （２）
となる。またインバータ（ＩＮＶ）２から出力される有効電力Ｐ2 と無効電力Ｑ2 （遅れを正とする）は、
Ｐ2 ＝（Ｅ2 ・Ｖ・sin δ2 ）／Ｘ2 ≒（Ｅ2 ・Ｖ・δ2 ）／Ｘ2       （３）
Ｑ2 ＝（Ｅ2 ・Ｖ・cos δ2 ）／Ｘ2 ≒（Ｅ2 ・Ｖ）／Ｘ2             （４）
となる。
【０００８】
したがって、有効電力のアンバランス量と無効電力のアンバランス量とは、夫々
Ｐ1 −Ｐ2 ≒（Ｅ1 ・Ｖ・δ1 ）／Ｘ1 −（Ｅ2 ・Ｖ・δ2 ）／Ｘ2     （５）
となり、
Ｅ1 ≒Ｅ2 ≒Ｅ      （６）
Ｘ1 ≒Ｘ2 ≒Ｘ      （７）
とすると、
Ｐ1 −Ｐ2 ≒｛Ｅ・Ｖ・（δ1 −δ2 ）｝／Ｘ            （８）
また、
Ｑ1 −Ｑ2 ≒（Ｅ1 Ｖ）／Ｘ1 −（Ｅ2 Ｖ）／Ｘ2 
＝｛（Ｅ1 ／Ｘ1 ）−（Ｅ2 ／Ｘ2 ）｝・Ｖ    （９）
となる。
【０００９】
これらのことから、有効電力のアンバランスについては、夫々のインバータ側での電圧位相差δ1 と位相差δ2 とを操作することで調整でき、無効電力のアンバランスについては、夫々のインバータ側での電圧Ｅ1 と電圧Ｅ2 とを操作することで調整できる。
【特許文献１】特許第２６７８９９１号
【特許文献２】特許第３２９００６６号
【発明の開示】
【発明が解決しようとする課題】
【００１０】
前述の如き技術的背景の下でインバータ装置が並列運転されるが、個々のインバータ装置には製品のバラツキにもとづいて、相互のインバータ装置間で電圧に差が生じる。このために、当該電圧差による不具合を解消することが必要となる。
【課題を解決するための手段】
【００１１】
例えばエンジン駆動発電機からの出力を整流してインバータに印加し、所定周波数の交流出力を得るインバータ装置を並列運転するに当たって、各インバータ装置が夫々小型のコンピュータによってスイッチイング制御されることを利用して、当該コンピュータによって、当該インバータ装置が出力すべき交流出力電圧についての目標正弦波を与える目標正弦波情報を保持するようにし、各インバータ装置は当該目標正弦波に相当する交流出力電圧を発生するようにしている。
【００１２】
本発明においては、公知の如く夫々のインバータ装置相互間における有効電力の分担を正しく保つために自己側のインバータ装置から出力される有効電力が増大した場合に自己側のインバータ装置における交流出力電圧の周波数を減少する方向に制御していることは勿論であるが、その上で、自己のインバータ装置からの無効電力と相手方となるインバータ装置からの無効電力とを把握し、夫々の無効電力の和（極性を考慮しての和であって、実際には差に相当する）が零になるようにすべく、前記の目標正弦波情報を徐々に補正しつつ、対応する交流出力電圧を補正するようにする。
【００１３】
なお、各インバータ装置において、前記の無効電力を得るに当たっては、無効電力自体を測定するのではなく、自己の交流出力電流をサンプリングし、前記の目標正弦波の瞬時値で出力電圧の瞬時値を推定し位相差を考慮した上で乗算して、当該無効電力を求めるようにする。
【発明の効果】
【００１４】
本発明の実施例によれば、インバータ装置がコンピュータによってスイッチイング制御されることを利用して、当該コンピュータを用いて当該インバータ装置が出力すべき交流出力電圧に相当する目標正弦波を用意し、当該目標正弦波に合わせるように前記交流出力電圧を制御する。
【００１５】
しかし、製品のバラツキやその他の理由から非所望に横流が発生することがあり、本発明では、このような場合に対処すべく、自己のインバータ装置および相手方となるインバータ装置における無効電力を交信しあい、前記式（９）の変動分の値が零に近づくように、前記交流出力電圧を補正、非所望な横流をなくするように制御する。
【発明を実施するための最良の形態】
【００１６】
図１は本発明の一実施例構成を示す。図中の符号１Ａ，１Ｂは夫々電源装置であって本発明にいうインバータ装置に対してエンジン発電機２ａ，２ｂ（後述）が接続されているもの、２ａ，２ｂはエンジン発電機であって図示を省略しているが当該夫々のエンジン発電機の交番出力を整流する整流器を持っているもの、３ａ，３ｂは夫々インバータ、４ａ，４ｂは夫々フィルタ回路、５ａ，５ｂは夫々平滑コンデンサ、６ａ，６ｂは夫々コンピュータからなる制御回路、７ａ，７ｂは夫々ドライバ回路であってインバータに対してゲート信号を印加するものである。
【００１７】
また、８ａ，８ｂは夫々出力電圧検出回路であってインバータからのＰＷＭ高周波電圧（図示の場合にはフィルタ回路４ａ，４ｂへの入力側の電圧であることから、インバータから出力直後のパルス幅変調（ＰＷＭ）された高周波電圧である）を検出するものである。また９ａ，９ｂは電流検出器であってインバータからの出力電流Ｉ（図示の場合には正弦波電流の振幅をサンプリングするようにする）を検出するもの、１０ａ，１０ｂは直流電圧検出回路であってインバータ３ａ，３ｂに印加される直流電圧（本願明細書では主回路電圧と呼ぶこともある）を検出するもの、１１ａ，１１ｂは自己のインバータ装置１Ａ，１Ｂの主回路電圧をサンプリングした値を相手方となるインバータ装置１Ｂ，１Ａに伝送する信号線、１２は制御回路６ａおよび６ｂ内に存在するコンピュータ相互での通信を行うコンピュータ間シリヤル通信機能を表している。
【００１８】
なお、本願にいう負荷は、図１における最右端に接続されている。
【００１９】
電源装置１Ａ，１Ｂとは実質的に同一構成をもつことから、一方の電源装置１Ａについて説明するが、他方の電源装置１Ｂにおいても同様である。
【００２０】
エンジン発電機２ａは交番電圧を発生し、前述の如く図示を省略して当該エンジン発電機２ａ内に存在すると述べた整流器によって得られた直流電圧が平滑コンデンサ５ａに印加される。当該平滑コンデンサ５ａの端子電圧（主回路電圧）はインバータ３ａにも印加される。
【００２１】
インバータ３ａは、ドライバ回路７ａからのパルス幅変調（ＰＷＭ）ゲート制御信号に対応して周知の如くＨブリッジ状に配置された４個のサイリスタがオンオフされ、所望周波数の交番電圧を生成し、フィルタ回路４ａに印加される。なお、インバータ３ａの出力直後の電圧波形は、周知の如く、前記ＰＷＭゲート制御信号に対応して、主回路電圧と実質的に同じ波高値を持ちかつ個々のパルス幅が逐次変化している一団の正極性の矩形波群と次に同様な一団の負極性の矩形波群との繰返されるＰＷＭ高周波電圧となっている。当該ＰＷＭ高周波電圧を図１において出力電圧として示している。当該ＰＷＭ高周波電圧はフィルタ回路４ａを通過することによって、所望される周波数の所望される正弦波形となり、図示しない負荷に給電することになる。当該ＰＷＭ高周波電圧が濾波された際に得られるであろう正弦波電圧、換言すれば当該ＰＷＭ高周波電圧に対応する基本正弦波電圧を、本願明細書においては交流出力電圧と呼んでいる。前述の式（１）や式（２）に示す電圧Ｅ1 は当該交流出力電圧である。なお、図１に示すフィルタ回路４ａの出力端の電圧波形を直接調べても、他方の電源装置が存在することのために、正しい形で当該交流出力電圧Ｅ1 を把握することは困難である。ただこの交流出力電圧は前記ＰＷＭ高周波電圧を濾波して得られる基本正弦波電圧に対応している。
【００２２】
電源装置１Ａの制御回路６ａには、図示しないコンピュータが存在していて、インバータ３ａのスイッチングを制御せしめるようにする。即ち、当該コンピュータは、インバータ３ａからの前述の基本正弦波電圧が所望される周波数の所望される実効電圧値をもつ正弦波電圧となるようにするための目標正弦波を生成して保持している（メモリ上に第１のテーブルとして保持している）。
【００２３】
コンピュータが保持している目標正弦波に関する情報としては、当該目標正弦波の１周期を、図２に示す如く、例えば１２８区間に区分した各区分点ｔ0 ，ｔ1 ，ｔ2 ，…，ｔ32，…，ｔ64，…，ｔ96，…，ｔ128 に対応して、当該区分点での瞬時波高値を、メモリ上に保持していると考えてよい。
【００２４】
制御回路６ａにおいては、基本的には、当該目標正弦波に相当する前記のＰＷＭ高周波電圧をインバータ３ａが出力するように、当該目標正弦波に相当するパルス幅変調（ＰＷＭ）のパルス列を得てＰＷＭゲート制御信号がつくられ、ドライバ回路７ａを介して出力され、インバータ３ａ内の各サイリスタをオンオフ制御する。
【００２５】
しかし実際には、ＰＷＭ高周波電圧に対応する前述の基本正弦波電圧が所望な電圧になるように、次のようなフィールドバック制御を行っている。即ち、図示の出力電圧検出回路８ａにおいて、ＰＷＭ高周波電圧を取り込んで、図示を省略しているフィルタ（以下フィルタＡという）を介して前述の基本正弦波電圧を得る。
【００２６】
一方、制御回路６ａ側では、前記の目標正弦波に相当する正弦波電圧をフィルタ（以下フィルタＢという）を介して生成し、図示しない比較回路によって、前記フィルタＡからの出力とフィルタＢからの出力との偏差をとり、当該偏差を補正するように前記ＰＷＭゲート制御信号のパルス列を得て、ドライバ回路７ａを介してインバータ３ａを制御する。
【００２７】
なお、本発明においては、後述するように、電源装置１Ａからの無効電力と電源装置１Ｂからの無効電力とを考慮して、夫々の電源装置１Ａ，１Ｂ内で、自己の前記目標正弦波の瞬時値を調整して、即ち、前記の基本正弦波電圧（したがって交流出力電圧Ｅ1 ）の電圧レベルを調整して前述の横流の発生を抑止するようにしている。
【００２８】
当該無効電力を把握するために、本発明においては、次のような手段が用いられている。
【００２９】
インバータ３ａから流出（場合によっては流入）する電流Ｉを、前記図２に示す各区分点ｔ0 ，ｔ1 ，…，ｔn ，…，ｔ128 に対応してサンプリングして、当該電流の瞬時値Ｉs （ｎ）を得る。当該瞬時値Ｉs （ｎ）は、前記目標正弦波の各区分点における波高値と、位相を調整した上で乗算される。即ち、位相を調整した上で乗算して得た値を積算することによって、無効電力が計算される。この無効電力は、図示の制御回路６ａにおいて把握され、後述するように、所定のタイミング毎に、図１に示す例えばコンピュータ間シリヤル通信機能１２を介して、相互に夫々の電源装置１Ａ，１Ｂにおける制御回路６ａ，６ｂに伝送される。なお、シリヤル伝送を行うことによって、電源装置間の信号線の本数を減少することができる。
【００３０】
以下、伝送されあった無効電力にもとづいて、横流を抑止する制御について説明する。
【００３１】
図３は目標電圧及び無効電力計測ルーチンを説明するフローチャートである。
【００３２】
ステップＳ１：前述の如く、図２に示す各区分点ｔ0 ，ｔ1 ，…に対応して電流の瞬時      値Ｉs （ｔ0 ），Ｉs （ｔ1 ），…，Ｉs （ｎ）…を検出する。
【００３３】
ステップＳ２：前述の如く、第１のテーブルから得られる目標正弦波の波高値の各区分      点における瞬時値と、位相を調整された上で乗算され、図示の『瞬時値Ｉs （ｎ）      ×計算用電圧マップ（ｎ）』とを得る。そして、そのタイミング以前に得られてい      る合計値と合算されて、図示の『合計』を得る。当該『合計』は、図２に示す目標      正弦波の一周期毎に、後述のステップＳ７に示す如く『無効電力』として抽出され      る。
【００３４】
ステップＳ３：後述するように本発明による横流抑止のための制御にもとづいて第１の      テーブルに保持されている目標正弦波の振幅が修正制御されてゆくべきことから、      第１のテーブルから得られた目標正弦波の波高値を補正したものを用いて、前記基      本正弦波電圧（したがって交流出力電圧Ｅ1 ）を１サイクル毎に変更してゆくよう      にする。即ち、図示の『補正電圧係数』を当該目標正弦波の波高値に乗算する。当      該『補正電圧係数』についてラベル（１１）を付しておくが、当該『補正電圧係数      』については図４を用いて後述し、かつステップＳ３において補正電圧係数が乗算      されるタイミングと当該ステップＳ３において得られた『瞬時目標電圧』がインバ      ータの出力に反映されるタイミングとについては、図５を用いて後述する。
【００３５】
ステップＳ４：電流の瞬時値Ｉs （ｎ）を次回でＩs （ｎ＋１）を抽出するように変更      する。
【００３６】
ステップＳ５：図２に示す区分点ｔ128 に達したか否かが判定されて、達していない場      合には、ステップＳ１に戻る。
【００３７】
ステップＳ６：区分点ｔ128 に達した場合には、ｎ＝１２７をｎ＝０にリセットする。
【００３８】
ステップＳ７：区分点ｔ128 のタイミング時に得られている所の、ステップＳ２に示す      『合計』の値を、当該周期での『無効電力』として取得する。そして、再びステッ      プＳ１に戻る。この得られている『無効電力』が取得されるタイミングと、相手方      となる電源装置側に伝送されるタイミングについては、図５を参照して後述される      。この『無効電力』にラベル（５）（（註）相手方のものを（６））を付しておく      が、図５において後述される。
【００３９】
以上のようにして無効電力が把握されてゆくが、図４を参照して、相互の電源装置１Ａ，１Ｂ間での無効電力をバランスするための処理について説明する。
【００４０】
図４は無効電力バランスルーチンを説明するフローチャートである。また図５は自己側の電源装置１Ａと相手方の電源装置１Ｂとで情報を取得しまたは送受するタイミングを説明する図である。
【００４１】
ステップＳ８：図２に示すタイミングが３２回目に達したか否かをチェックする。自己      側で３２回に達したタイミングについてラベル（１）を付し、相手方で３２回に達      したタイミングについてラベル（２）を付しておく。このラベルは、図５にも示さ      れ、ステップＳ８が処理されるタイミングが図５を参照すれば判るようにされてい      る。
【００４２】
ステップＳ９：自己側の電源装置において１サイクル前に図３に示すステップＳ７にお      いて取得していた無効電力（５）と、相手方の同様のもの無効電力（６）とをシリ      ヤル送受信する。なお当該無効電力（５）（６）は、図３に示すステップＳ７にお      いて得られるものであるが、このようにて得られた１周期（サイクル）毎の無効電      力（５）（６）は、後述するステップＳ１１ないしＳ１７をへて、累算され積分誤      差無効電力（ラベル７を付す）とされる。また電源装置１Ｂにおいて無効電力（６      ）を累算され積分誤差無効電力（ラベル８を付す）とされる。そしてこれらの積分      誤差無効電力（７）と積分誤差無効電力（８）とは、前記無効電力（５）や無効電      力（６）と一緒に、シリヤル送受信される。当該シリヤル送受信されるタイミング      は図５に示されている。それらの送受信が終了するとステップＳ８に戻る。
【００４３】
ステップＳ１０：図２に示すタイミングが９６回目に達したか否かをチェックする。自      己側で９６回目に達したタイミングについてラベル（３）を付し、相手方で９６回      目に達したタイミングについてラベル（４）を付しておく。このラベル（３）（４      ）も、図５に示され、タイミングが判るようにされている。
【００４４】
ステップＳ１１：相手方から受信した無効電力（６）（（註）『受信無効電力』）と自      己側での無効電力（５）（（註）『送信無効電力』）との差をとり、『誤差無効電      力』とする。当該誤差無効電力は横流の存在に対応する性質のものであり、この誤      差無効電力にラベル（９）を付しておく。
【００４５】
ステップＳ１２：ステップＳ９に関連して説明した所の自己側の『積分誤差無効電力』      （７）に対して、ステップＳ１１で得た『誤差無効電力』（９）を加算して『積分      誤差無効電力』を得る。この『積分誤差無効電力』に対して、ラベル（１０）を付      して、ステップＳ９に示す前サイクルの『積分誤差無効電力（７）』と区別してお      く。勿論、相手方の電源装置１Ｂにおいても同様に、積分誤差無効電力（１０）に      相当するものが得られ、１サイクル前に得られていたものがステップＳ９に示す          『積分誤差無効電力（８）』である。
【００４６】
ステップＳ１３：ステップＳ１２に関連して説明した所の自己側の『積分誤差無効電力      』（１０）に係数Ｋ1 を乗じたものとステップＳ１１で得た『誤差無効電力』（９      ）に係数Ｋ2 を乗じたものとを累算した値にもとづいて、第２のテーブルを索引し      、『補正電圧係数』を得る。当該『補正電圧係数』に対してラベル（１１）を付す      。
【００４７】
ここで、補正電圧係数に関連する第２のテーブルについて説明する。
【００４８】
本発明においては、前述した如く、並列運転されるインバータ装置で生じる無効電力の横流を抑止するように制御している。この無効電力の横流を抑止する手段としては、自己側の無効電力と相手方の無効電力とのいわば和をとり、その和が零となるように、夫々のインバータ装置側で基本正弦波電圧（したがって交流出力電圧Ｅ1 ，Ｅ2 ）を変化させる。即ち、当該交流出力電圧Ｅ1 ，Ｅ2 を変化させて無効電力の横流を抑止するようにしている。更に言えば、遅れ無効電力の横流が流れ込む側の基本正弦波電圧（したがって交流出力電圧Ｅ1 （又はＥ2 ））を高め、遅れ無効電力の横流が流出する側の基本正弦波電圧（したがって交流出力電圧Ｅ2 （又はＥ1 ））を低めるように制御している。この制御を行うために、本発明では、予め第２のテーブルが用意されている。即ち、前記ステップＳ１３に示す
（積分誤差無効電力×Ｋ1 ＋誤差無効電力×Ｋ2 ）
の値ごとに、第１のテーブルに保持している所の目標正弦波（図２に示す正弦波）の『各区分点ごとの波高値』の夫々と乗算してゆくべき『補正電圧係数』（１１）を与えるようにしている。なお、当該第２のテーブルから抽出された『補正電圧係数』（１１）は、図２に示す１サイクルの間、同一の値が『各区分点ごとの波高値』に乗算される。そして、次のサイクルにおいて、当該補正電圧係数を乗じた結果の、補正された目標正弦波に沿うように、インバータがスイッチング制御される。即ち、夫々の電源装置における前述の交流出力電圧Ｅ1 ，Ｅ2 が各サイクル毎に逐次制御されてゆく。
【００４９】
言うまでもなく、第２のテーブルはメモリ上に保持されていて、制御回路６ａ（６ｂ）内のコンピュータがアクセスできるようにされている。第２のテーブルで索引された補正電圧係数（１１）が、図３のステップＳ３に示す『補正電圧係数』として利用される。即ちインバータ３ａ（又は３ｂ）で出力されるべき目標電圧の波高値が補正され、インバータ３ａ（又は３ｂ）の次回のサイクルにおける交流出力電圧Ｅ1 （又はＥ2 ）に反映されて、無効電力の横流を抑止するようにされる。
【００５０】
図４に戻って、
ステップＳ１４：ステップＳ９に示した積分誤差無効電力（７）とステップＳ９におい      て受信した積分誤差無効電力（（註）『受信積分誤差無効電力』８）とが加算され      て『積分偏り値』（１２）を得る。当該積分偏り値（１２）は、当面の状態の下で      、自己側と相手方とのいずれかの側の方に横流が流入し、いずれの側の方から横流      が流出しているかを示す値となっている。
【００５１】
ステップＳ１５：積分偏り値（１２）が正か負か判定する。
【００５２】
ステップＳ１６：正であれば、現サイクル（今回のサイクル）で得たステップＳ１２に      おける積分誤差無効電力（１０）に対して定数Ｋ3 を差し引いて、次回のサイクル      において送信するステップＳ９での積分誤差無効電力（７）とする。
【００５３】
ステップＳ１７：負であれば、ステップＳ１６の逆に、今回のサイクルで得たステップ      Ｓ１２における積分誤差無効電力（１０）に対して定数Ｋ3 を加えて、今回のサイ      クルにおいて送信するステップＳ９での積分誤差無効電力（７）とする。相手方の      電源装置においても、同様に、ステップＳ１４ないしＳ１７の処理が行われる。
【００５４】
以上のような処理が行われ、無効電力のアンバランスによる横流を抑止するように、図３に示すステップＳ３で次のサイクルにおける『瞬時目標電圧』（図２に示した目標正弦波の振幅を補正したもの）が与えられる。即ち、遅れ無効電力の横流が流れ込む側の電源装置において、前述の基本正弦波電圧（したがって交流出力電圧Ｅ1 （又はＥ2 ））が高められ、遅れ無効電力の横流を流出している側の電源装置において、基本正弦波電圧（したがって交流出力電圧Ｅ2 （又はＥ1 ））を低めるように働く。
【００５５】
なお、図４におけるステップＳ１２およびＳ１３において、『誤差無効電力』（９）を用いていることはＰＩ演算における比例演算（Ｐ）に相当し、『積分誤差無効電力』（７）を用いてステップＳ１２において『積分誤差無効電力』（１０）を得ていることがＰＩ演算における積分演算（Ｉ）に相当する。
【００５６】
また、図４に示すステップＳ１６またはＳ１７において『積分誤差無効電力』（１０）に対して定数Ｋ3 を減算または加算しているのは、積分誤差無効電力の偏りを複数回のサイクルの間に徐々に解消してゆくことを表している。
【００５７】
更に、図１において、直流電圧検出回路１０ａ，１０ｂや信号線１１ａ，１１ｂを示していて、これらは自己側の電源装置における『主回路電圧』を、図２に示す区分点ｔ0 ，ｔ1 …に対応づけて相手方の電源装置の制御回路６ｂ（又は６ａ）に伝送するためのものであるが、これらの作用は本発明には直接の関連をもたないことから、具体的な説明を省略する。
【００５８】
前記本発明に関する説明において、有効電力の分担についての説明が行われていないが、前記式（８）に示されることからも明らかな如く、従来から公知の制御、即ち自己側の電源装置が出力する有効電力の増大に応じて自己側の電源装置における交流出力の周波数を低くする方向に制御が行われている。これに有効電力の分担がアンバランスとなることを抑止している。なお、式（８）における位相差δ1 （又は位相差δ2 ）を変更することは、交流出力の周波数を変化させることによって、位相差を調整していることを意味している。
【産業上の利用可能性】
【００５９】
以上説明した如く、本発明においては、並列インバータ装置における横流を逐次抑止してゆくように制御でき、負荷への給電効率を高めることができる。
【図面の簡単な説明】
【００６０】
【図１】本発明の一実施例構成を示す。
【図２】本発明にいう目標正弦波を示す。
【図３】目標電圧及び無効電力計測ルーチンを説明するフローチャートである。
【図４】無効電力バランスルーチンを説明するフローチャートである。
【図５】自己側の電源装置１Ａと相手方の電源装置１Ｂとで情報を取得しまたは送受するタイミングを説明する図である。
【図６】インバータが並列運転される際の等価回路を示す。
【図７】電圧位相図を示す。
【符号の説明】
【００６１】
１Ａ，１Ｂ：電源装置
２ａ，２ｂ：エンジン発電機
３ａ，３ｂ：インバータ
４ａ，４ｂ：フィルタ回路
５ａ，５ｂ：平滑コンデンサ
６ａ，６ｂ：制御回路
７ａ，７ｂ：ドライバ回路
８ａ，８ｂ：出力電圧検出回路
９ａ，９ｂ：電流検出器
１０ａ，１０ｂ：直流電圧検出回路
１１ａ，１１ｂ：信号線
１２：コンピュータ間シリヤル通信機能
【図１】
2005102421.tif 000003
【図２】
2005102421.tif 000004
【図３】
2005102421.tif 000005
【図４】
2005102421.tif 000006
【図５】
2005102421.tif 000007
【図６】
2005102421.tif 000008
【図７】
2005102421.tif 000009